(57)【要約】      （修正有）【課題】受信信号の瞬断又は復帰の際に復調部が再引き込み動作をしないようにしたディジタル信号送受信システム、並びにそれに用いるディジタル信号送信装置及びディジタル信号受信装置を提供する。【解決手段】入力部１１１は情報信号を圧縮符号化して得た第１のパケットのストリームであるＴＳと同期信号ＦＳＹＮＣとに基づき、所定の転送レートに速度変換され、かつ、パケットの先頭データが規格により定められた所定値に付替えられた第２のパケットのストリームを生成する。この第２のパケットは、６４ＱＡＭ変調部１１３で変調され、周波数変換部１１４で周波数変換され、ＰＡ１１５を介して無線送信される。受信側では周波数変換部１２２で受信信号を中間周波数に変換し、６４ＱＡＭ復調部１２３で復調して出力部で元の転送レートに速度変換してＴＳとＦＳＹＮＣを出力する。【選択図】図１
2006121450.tif 000002
【特許請求の範囲】
【請求項１】
情報信号を圧縮符号化して得たディジタル信号である第１のパケットのストリームと同期信号とに基づき、所定の転送レートに速度変換され、かつ、パケットの先頭データが規格により定められた所定値に付替えられた第２のパケットのストリームを生成する入力手段と、
前記入力手段から出力された前記第２のパケットのストリームを、予め定められた変調方式で変調する変調手段と、
前記変調手段から出力された変調波を、予め定められた送信周波数帯に変換して無線送信する無線送信手段と、
前記無線送信手段から無線送信された前記変調波を受信して中間周波数に変換する受信手段と、
前記受信手段から出力される前記中間周波数の変調波を、前記第２のパケットのストリームに復調する復調手段と、
前記復調手段から出力される復調された第２のパケットのストリームの速度変換を行って前記第１のパケットのストリームと、前記同期信号とを出力すると共に、該同期信号の周期異常が１回でも発生した時には異常検出信号を出力する出力部と
を有することを特徴とするディジタル信号送受信システム。
【請求項２】
情報信号を圧縮符号化して得たディジタル信号である第１のパケットのストリームと同期信号とに基づき、所定の転送レートに速度変換され、かつ、パケットの先頭データが規格により定められた所定値に付替えられた第２のパケットのストリームを生成する入力手段と、
前記入力手段から出力された前記第２のパケットのストリームを、予め定められた変調方式で変調する変調手段と、
前記変調手段から出力された変調波を光信号に変換して送信する光送信手段と、
前記光送信手段から送信された前記光信号を受信して電気信号である前記変調波に変換する光−電気変換手段と、
前記光−電気変換手段から出力される前記変調波を、前記第２のパケットのストリームに復調する復調手段と、
前記復調手段から出力される復調された前記第２のパケットのストリームの速度変換を行って前記第１のパケットのストリームと、前記同期信号とを出力すると共に、該同期信号の周期異常が１回でも発生した時には異常検出信号を出力する出力部と
を有することを特徴とするディジタル信号送受信システム。
【請求項３】
請求項１記載のディジタル信号送受信システムに用いるディジタル信号送信装置であって、
情報信号を圧縮符号化して得たディジタル信号である第１のパケットのストリームと同期信号とに基づき、所定の転送レートに速度変換され、かつ、パケットの先頭データが規格により定められた所定値に付替えられた第２のパケットのストリームを生成する入力部と、
前記入力部から出力された前記第２のパケットのストリームを、予め定められた変調方式で変調する変調部と、
前記変調部から出力された変調波を、予め定められた送信周波数帯に変換して無線送信する無線送信部と
を有することを特徴とするディジタル信号送信装置。
【請求項４】
請求項２記載のディジタル信号送受信システムに用いるディジタル信号送信装置であって、
情報信号を圧縮符号化して得たディジタル信号である第１のパケットのストリームと同期信号とに基づき、所定の転送レートに速度変換され、かつ、パケットの先頭データが規格により定められた所定値に付替えられた第２のパケットのストリームを生成する入力部と、
前記入力部から出力された前記第２のパケットのストリームを、予め定められた変調方式で変調する変調部と、
前記変調部から出力された変調波を光信号に変換して送信する光送信部と
を有することを特徴とするディジタル信号送信装置。
【請求項５】
請求項１記載のディジタル信号送受信システムに用いるディジタル信号受信装置であって、
無線送信された変調波を受信して中間周波数に変換する受信部と、
前記受信部から出力される前記中間周波数の変調波を、前記第２のパケットのストリームに復調する復調部と、
前記復調部から出力される復調された第２のパケットのストリームの速度変換を行って前記第１のパケットのストリームと、前記同期信号とを出力すると共に、該同期信号の周期異常が１回でも発生した時には異常検出信号を出力する出力部と
を有することを特徴とするディジタル信号受信装置。
【請求項６】
請求項２記載のディジタル信号送受信システムに用いるディジタル信号受信装置であって、
送信された光信号を受信して電気信号である変調波に変換する光−電気変換部と、
前記光−電気変換部から出力される前記変調波を、前記第２のパケットのストリームに復調する復調部と、
前記復調部から出力される復調された前記第２のパケットのストリームの速度変換を行って前記第１のパケットのストリームと、前記同期信号とを出力すると共に、該同期信号の周期異常が１回でも発生した時には異常検出信号を出力する出力部と
を有することを特徴とするディジタル信号受信装置。
【発明の詳細な説明】
【技術分野】
【０００１】
本発明はディジタル信号送受信システム、並びにそれに用いるディジタル信号送信装置及びディジタル信号受信装置に係り、特に情報信号をトランスポートストリーム（ＴＳ）の信号形態で送受信する地上波ディジタル放送などのディジタル信号送受信システム、並びにそれに用いるディジタル信号送信装置及びディジタル信号受信装置に関する。
【背景技術】
【０００２】
情報信号をトランスポートストリーム（ＴＳ）の信号形態で送受信するディジタル信号送受信システムとして、例えば、地上波ディジタル放送システムがある。この地上波ディジタル放送システムでは、映像及び音声などの情報信号をＭＰＥＧ（Moving Picture Experts Group）方式により高能率圧縮符号化して得られたトランスポートストリーム（ＴＳ）パケットを、ＳＴＬ（Studio to Transmitter Link）で規定される伝送パケットに変換し、更に６４ＱＡＭ（直交振幅変調）などの変調方式により変調した後、アナログ放送波ではなく、マイクロ波回線、光回線などの別回線（ＳＴＬ回線）を利用して伝送する。
【０００３】
このような地上波ディジタル放送システムにおいて、受信装置では受信信号を６４ＱＡＭ復調器により復調するが、何らかの理由により受信信号に、ごく短時間、不連続となる瞬断が発生した場合、瞬断から正規の信号レベルに復帰するときに６４ＱＡＭ復調器が再引き込み動作を行うと、後段の回路部のクロックに与える影響が大きく、システム全体の復旧時間がかかってしまう。
【０００４】
そこで、受信信号の瞬断があっても、不連続を意識せずに瞬間的サービス断の影響を最小限にした受信装置が提案されている（例えば、特許文献１参照）。この特許文献１記載の従来の受信装置では、ディジタル放送波における瞬断を同期コードの欠落や多重化された伝送制御信号で検知したときは、チューナの同調用情報を保持する手段、復調部のキャリア及びクロックの閉ループ伝達関数を制御する手段、ＰＣＲによるディジタルＰＬＬの位相誤差情報を保持する手段、映像復号の提示更新を停止し直前の映像信号を提示する手段、ＰＴＳの検出及び更新を停止する手段及びＰＣＲの検出及び更新を停止しＰＣＲに対するジッターレンジを変化させる手段のうちの少なくとも一つの手段を制御し、瞬断時の受信機の正常動作への移行を行うようにした構成である。
【０００５】
また、クロックの異常に関しては、被検査クロックを１周期分遅延させる遅延手段と、その遅延手段の出力と被検査クロックとを比較して不一致の場合のみ不一致期間に出力を出すクロック比較手段と、上記不一致期間が予め定められた許容範囲を超えたときに異常検出信号を出力する異常検出手段とを含む構成のクロック異常検出回路が従来より知られている（例えば、特許文献２参照）。このクロック異常検出回路によれば、不連続的にクロック周期やデューティ比が変化した場合にも、クロック異常として検出できる。
【０００６】
【特許文献１】特開２０００−１３８８７４号公報
【特許文献２】特開平１０−２４０３７４号公報
【発明の開示】
【発明が解決しようとする課題】
【０００７】
しかしながら、特許文献１記載の従来の受信装置は、瞬断が発生した場合に、例えば復調部のキャリア及びクロックの閉ループ伝達関数を制御して受信機の正常動作への移行を行うようにしたものであり、瞬断が発生した場合に復調部が再引き込みを行わないようにする手段については全く言及していない。また、特許文献２記載のクロック異常検出回路は、不連続的にクロック周期やデューティ比が変化したような場合にクロック（周期）異常として検出する回路であり、復調部の再引き込み動作によるクロックの異常を検出するものではない。
【０００８】
本発明は以上の点に鑑みなされたものであり、受信信号の瞬断又は復帰の際に復調部が再引き込み動作をしないようにしたディジタル信号送受信システム、並びにそれに用いるディジタル信号送信装置及びディジタル信号受信装置を提供することを目的とする。
【課題を解決するための手段】
【０００９】
上記の目的を達成するため、第１の発明のディジタル信号送受信システムは、情報信号を圧縮符号化して得たディジタル信号である第１のパケットのストリームと同期信号とに基づき、所定の転送レートに速度変換され、かつ、パケットの先頭データが規格により定められた所定値に付替えられた第２のパケットのストリームを生成する入力手段と、入力手段から出力された第２のパケットのストリームを、予め定められた変調方式で変調する変調手段と、変調手段から出力された変調波を、予め定められた送信周波数帯に変換して無線送信する無線送信手段と、無線送信手段から無線送信された変調波を受信して中間周波数に変換する受信手段と、受信手段から出力される中間周波数の変調波を、第２のパケットのストリームに復調する復調手段と、復調手段から出力される復調された第２のパケットのストリームの速度変換を行って第１のパケットのストリームと、同期信号とを出力すると共に、同期信号の周期異常が１回でも発生した時には異常検出信号を出力する出力部とを有することを特徴とする。
【００１０】
また、上記の目的を達成するため、第２の発明のディジタル信号送受信システムは、情報信号を圧縮符号化して得たディジタル信号である第１のパケットのストリームと同期信号とに基づき、所定の転送レートに速度変換され、かつ、パケットの先頭データが規格により定められた所定値に付替えられた第２のパケットのストリームを生成する入力手段と、入力手段から出力された第２のパケットのストリームを、予め定められた変調方式で変調する変調手段と、変調手段から出力された変調波を光信号に変換して送信する光送信手段と、光送信手段から送信された光信号を受信して電気信号である変調波に変換する光−電気変換手段と、光−電気変換手段から出力される変調波を、第２のパケットのストリームに復調する復調手段と、復調手段から出力される復調された第２のパケットのストリームの速度変換を行って第１のパケットのストリームと、同期信号とを出力すると共に、同期信号の周期異常が１回でも発生した時には異常検出信号を出力する出力部とを有することを特徴とする。
【００１１】
上記の第１及び第２の発明では、入力手段が第１のパケットのストリームと同期信号とに基づき第２のパケットのストリームに速度変換する際に、入力される第１のパケットのストリームをすべて用いるのではなく、出力する第２のパケットの先頭データは規格により定められた所定値に付替えるようにしたため、第１のパケットのストリームが断から正常に復旧した際にも、第２のパケットの先頭データは常に所定値で出力することができる。また、上記の第１及び第２の発明では、出力手段が同期信号の周期異常が１回でも発生した時には異常検出信号を出力するようにしたため、同期信号の異常による後段の装置への影響を無くすことができる。
【００１２】
また、上記の目的を達成するため、第３の発明は、第１の発明のディジタル信号送受信システムに用いるディジタル信号送信装置であって、情報信号を圧縮符号化して得たディジタル信号である第１のパケットのストリームと同期信号とに基づき、所定の転送レートに速度変換され、かつ、パケットの先頭データが規格により定められた所定値に付替えられた第２のパケットのストリームを生成する入力部と、入力部から出力された第２のパケットのストリームを、予め定められた変調方式で変調する変調部と、変調部から出力された変調波を、予め定められた送信周波数帯に変換して無線送信する無線送信部とを有することを特徴とする。
【００１３】
また、上記の目的を達成するため、第４の発明は、第２の発明のディジタル信号送受信システムに用いるディジタル信号送信装置であって、情報信号を圧縮符号化して得たディジタル信号である第１のパケットのストリームと同期信号とに基づき、所定の転送レートに速度変換され、かつ、パケットの先頭データが規格により定められた所定値に付替えられた第２のパケットのストリームを生成する入力部と、入力部から出力された第２のパケットのストリームを、予め定められた変調方式で変調する変調部と、変調部から出力された変調波を光信号に変換して送信する光送信部とを有することを特徴とする。
【００１４】
第３及び第４の発明では、入力部が第１のパケットのストリームと同期信号とに基づき第２のパケットのストリームに速度変換する際に、入力される第１のパケットのストリームをすべて用いるのではなく、出力する第２のパケットの先頭データは規格により定められた所定値に付替えるようにしたため、第１のパケットのストリームが断から正常に復旧した際にも、第２のパケットの先頭データは常に所定値で出力することができる。
【００１５】
また、上記の目的を達成するため、第５の発明は、第１の発明のディジタル信号送受信システムに用いるディジタル信号受信装置であって、無線送信された変調波を受信して中間周波数に変換する受信部と、受信部から出力される中間周波数の変調波を、第２のパケットのストリームに復調する復調部と、復調部から出力される復調された第２のパケットのストリームの速度変換を行って第１のパケットのストリームと、同期信号とを出力すると共に、同期信号の周期異常が１回でも発生した時には異常検出信号を出力する出力部とを有することを特徴とする。
【００１６】
また、上記の目的を達成するため、第６の発明は、第２の発明のディジタル信号送受信システムに用いるディジタル信号受信装置であって、送信された光信号を受信して電気信号である変調波に変換する光−電気変換部と、光−電気変換部から出力される変調波を、第２のパケットのストリームに復調する復調部と、復調部から出力される復調された第２のパケットのストリームの速度変換を行って第１のパケットのストリームと、同期信号とを出力すると共に、同期信号の周期異常が１回でも発生した時には異常検出信号を出力する出力部とを有することを特徴とする。
【００１７】
第５及び第６の発明では、出力部が同期信号の周期異常が１回でも発生した時には異常検出信号を出力するようにしたため、同期信号の異常による後段の装置への影響を無くすことができる。
【発明の効果】
【００１８】
本発明によれば、伝送される第２のパケットの先頭データは規格により定められた所定値に付替えるようにしたため、第１のパケットのストリームが断から正常に復旧した際にも、第２のパケットの先頭データは常に所定値で出力するようにしたため、復調に必要な信号の位相が一定となるため、第１のパケットの断時または復帰の際に復調手段又は復調部が再引き込みを行なわないようにできる。
【００１９】
また、本発明によれば、復調手段又は復調部が再引き込みを行なわないことにより、後段の装置のクロック発生部に与える影響が無くなるため、送信システム全体の復帰時間が早くなる。
【発明を実施するための最良の形態】
【００２０】
次に、本発明の実施の形態について図面と共に説明する。図１は本発明になるディジタル信号送受信システム、並びにそれに用いるディジタル信号送信装置及びディジタル信号受信装置の第１の実施の形態のブロック図を示す。同図において、本実施の形態のディジタル信号送受信システムは、無線信号を送信するディジタル信号送信装置１１０と、無線信号を受信するディジタル信号受信装置１２０とより構成される。
【００２１】
ディジタル信号送信装置１１０は、入力部１１１、伝送路符号化部１１２、６４ＱＡＭ変調部１１３、周波数変換部１１４及びパワーアンプ（ＰＡ）１１５から構成されている。一方、ディジタル信号受信装置１２０は、ローノイズアンプ（ＬＮＡ）１２１、周波数変換部１２２、６４ＱＡＭ復調部１２３、伝送路復号部１２４及び出力部１２５から構成されている。
【００２２】
次に、本実施の形態の動作について説明する。スタジオにおいて、送信すべき情報信号として映像・音声信号をＭＰＥＧ方式で高能率圧縮符号化して得られたＴＳ信号と、このＴＳ信号に同期した周波数１０ＭＨｚの基準信号と、このＴＳ信号に同期した同期信号であるＦＳＹＮＣ信号とが、それぞれ入力部１１１に供給される。入力部１１１は、後に詳述するように、１０ＭＨｚの基準信号を基に後述する６４ＱＡＭ変調部１１３のクロックを生成すると共に、入力されたＴＳ信号を２７０ＭＨｚからＳＴＬで規定される帯域内で伝送するための伝送パケットの３２（＝２０４８／６３）ＭＨｚに速度変換する。
【００２３】
速度変換されたデータは、伝送路符号化部１１２で誤り訂正符号が付加されてパケットデータに生成された後、誤り訂正付加後のパケットデータは、６４ＱＡＭ変調部１１３に供給され、ここで前記入力部１１１で生成されたクロックに基づき６４ＱＡＭ変調される。６４ＱＡＭ変調部１１３から出力された６４ＱＡＭ変調波は、周波数変換部１１４にてＳＨＦ帯の周波数に変換された後、ＰＡ１１５に供給されて電力増幅されてから、空中線ＡＮＴ１を介して無線送信される。
【００２４】
ディジタル信号受信装置１２０は、空中線ＡＮＴ２によりディジタル信号送信装置１１０から無線送信されたＳＨＦ帯の信号を受信し、ＬＮＡ１２１にて低雑音増幅した後、周波数変換部１２２にて中間周波数（ＩＦ周波数）に変換する。周波数変換部１２２から出力されたＩＦ周波数信号は、６４ＱＡＭ復調部１２３に供給されて復調される。復調されたパケットデータは伝送路復号部１２４にて伝送路での誤りが誤り訂正符号を用いて訂正された後、出力部１２５にて３２ＭＨｚから２７０ＭＨｚに速度変換を行われてＴＳ信号が生成されると共に、これに同期した１０ＭＨｚの基準信号とＦＳＹＮＣ信号が出力される。
【００２５】
次に、本発明の要部の構成及び動作について説明する。図２は図１中の入力部１１１の一実施の形態のブロック図を示す。図２において、スタジオから入力されるＴＳ信号は、メモリ２０１、パケット番号デコーダ２０２及び２７Ｍ生成部２０４にそれぞれ供給される。また、スタジオから入力される１０ＭＨｚの基準信号は、３２Ｍ生成部２０６に供給され、同期信号ＦＳＹＮＣは、読出アドレス発生器２０５に供給される。
【００２６】
メモリ２０１は、速度変換のためのものであり、スタジオからシリアルに入力される２７０ＭＨｚのＴＳ信号を図示しないシリアル／パラレル変換器により変換された１０ビットパラレルデータが供給され、ここで２７Ｍ生成部２０４により生成した２７ＭＨｚの書き込みパルスによりＴＳ信号が書き込まれる。
【００２７】
また、パケット番号デコーダ２０２は、入力されるＴＳ信号のダミーバイト部に含まれるＯＦＤＭ（Orthogonal Frequency Division Multiplex:直交周波数分割多重）フレーム内のパケット番号をデコードする。書き込みアドレス発生器２０３は、パケット番号デコーダ２０２でデコードされたパケット番号を基に、ＴＳパケットの先頭データ（４７Ｈ）が固定のアドレスになるような書き込みアドレスを発生してメモリ２０１に供給する。これにより、メモリ２０１は、２７Ｍ生成部２０４からの２７ＭＨｚの書き込みパルスに基づいて、ＴＳパケットをその先頭データ（４７Ｈ）がメモリ２０１の所定の固定アドレスに書き込まれるように書き込み制御される。
【００２８】
続いて、メモリ２０１は、書き込んだＴＳ信号を、入力されるＦＳＹＮＣ信号に基づいて読出アドレス発生器２０５で発生された読み出しアドレスから、３２Ｍ生成部２０６にて１０ＭＨｚの基準信号に同期して生成された３２ＭＨｚの読み出しパルスにより８ビットパラレルに読み出される。これはメモリ２０１に入力される１０ビットのパラレルデータのうち、２ビットは無効データであり、８ビットが有効データであるため、８ビットの有効データのみが４ＭＨｚ（＝３２ＭＨｚ／８）でパラレルに読み出される。この読み出しにより速度変換されたＴＳパケットデータは、４７付替回路２０７に供給される。４７付替回路２０７には、読出アドレス発生器２０５から読出しアドレスも供給される。
【００２９】
ここで、メモリ２０１には前述したように、所定の固定アドレスにＴＳパケットの先頭データ（４７Ｈ）が書き込まれているので、４７付替回路２０７は、読出アドレス発生器２０５からの読出しアドレスが上記の所定の固定アドレスになった時には、メモリ２０１からの読出しパケットデータに関係なく、強制的に４７Ｈを読み込むように（付け替えるように）動作する。これにより、４７付替回路２０７からは、速度変換されたＴＳパケットデータの先頭データが必ず所定の値４７Ｈに付け替えられたＴＳ信号が３２ＭＨｚでシリアルに取り出され、図１に示した伝送路符号化部１１２に供給される。
【００３０】
ここで、入力部１１１に入力されるＴＳの瞬断が発生したとしても、４７付替回路２０７からは、速度変換されたＴＳパケットデータの先頭データが必ず所定の値４７Ｈに付け替えられて取り出されるため、ディジタル信号受信装置１２０内の６４ＱＡＭ復調部１２３で必要な先頭データの位相は一定となり、ＴＳの断時又は復帰の際に、６４ＱＡＭ復調部１２３が再引き込み動作を行わない。
【００３１】
次に、ディジタル信号受信装置１２０の出力部１２５の動作について説明する。出力部１２５は、伝送路復号部１２４にて伝送路での誤りが訂正された復調パケットデータを、３２ＭＨｚから２７０ＭＨｚの転送レートに速度変換を行って得たＴＳ信号をシリアル出力すると共に、これに同期した１０ＭＨｚの基準信号とＦＳＹＮＣ信号を出力する。
【００３２】
ただし、出力部１２５は、ＦＳＹＮＣ信号の周期異常が１回でも発生すると、直ちに異常とみなし、ＦＳＹＮＣ信号出力端子をハイレベルに固定し、パケット番号の連続性とＦＳＹＮＣ信号の周期が２回以上正常であることを確認したときは、復帰と判定してＦＳＹＮＣ信号出力端子へローパルスを出力する。このように、出力部１２５は同期信号ＦＳＹＮＣの周期異常が１回でも発生した時には、ローレベルの異常検出信号を出力するようにしたため、同期信号の異常による後段の装置への影響を無くすことができる。
【００３３】
次に、本発明の他の実施の形態について説明する。図３は本発明になるディジタル信号送受信システム、並びにそれに用いるディジタル信号送信装置及びディジタル信号受信装置の第２の実施の形態のブロック図を示す。同図中、図１と同一構成部分には同一符号を付し、その説明を省略する。
【００３４】
図３に示す第２の実施の形態のディジタル信号送受信システムは、光信号を送信するディジタル信号送信装置１５０と、光信号を受信するディジタル信号受信装置１６０とより構成される。
【００３５】
ディジタル信号送信装置１５０は、入力部１１１、伝送路符号化部１１２、６４ＱＡＭ変調部１１３、及び電気−光変換部（Ｅ／Ｏ部）１５１から構成されている。一方、ディジタル信号受信装置１６０は、光−電気変換部（Ｏ／Ｅ部）１６１、６４ＱＡＭ復調部１２３、伝送路復号部１２４及び出力部１２５から構成されている。
【００３６】
次に、本実施の形態の動作について説明する。スタジオにおいて、送信すべき情報信号として映像・音声信号をＭＰＥＧ方式で高能率圧縮符号化して得られたＴＳ信号と、このＴＳ信号に同期した周波数１０ＭＨｚの基準信号と、このＴＳ信号に同期した同期信号であるＦＳＹＮＣ信号とが、それぞれ入力部１１１に供給される。入力部１１１で速度変換されたデータは、伝送路符号化部１１２で誤り訂正符号が付加されてパケットデータに生成された後、誤り訂正付加後のパケットデータは、６４ＱＡＭ変調部１１３に供給され、ここで前記入力部１１１で生成されたクロックに基づき６４ＱＡＭ変調される。
【００３７】
６４ＱＡＭ変調部１１３から出力された６４ＱＡＭ変調波は、Ｅ／Ｏ部１５１により光信号に変換されてから送信される。送信された光信号は、光伝送路を経てディジタル信号受信装置１６０のＯ／Ｅ部１６１により受光され、ここで光−電気変換されて所定周波数の６４ＱＡＭ変調波とされる。
【００３８】
この６４ＱＡＭ変調波は、６４ＱＡＭ復調部１２３に供給されて復調され、伝送路復号部１２４にて伝送路での誤りが誤り訂正符号を用いて訂正された後、出力部１２５にて３２ＭＨｚから２７０ＭＨｚに速度変換を行われてＴＳ信号が生成されると共に、これに同期した１０ＭＨｚの基準信号とＦＳＹＮＣ信号が出力される。
【００３９】
本実施の形態も、入力部１１１は第１の実施の形態と同一構成であり、入力部１１１に入力されるＴＳの瞬断が発生したとしても、速度変換されたＴＳパケットデータの先頭データが必ず所定の値４７Ｈに付け替えられて取り出されるため、ディジタル信号受信装置１６０内の６４ＱＡＭ復調部１２３で必要な先頭データの位相は一定となり、ＴＳの断時又は復帰の際に、６４ＱＡＭ復調部１２３が再引き込み動作を行わない。
【００４０】
なお、本発明は上記の実施の形態に限定されるものではなく、例えば変調方式は６４ＱＡＭに限定されるものではない。
【図面の簡単な説明】
【００４１】
【図１】本発明の第１の実施の形態のブロック図である。
【図２】本発明の要部の入力部の一実施の形態のブロック図である。
【図３】本発明の第２の実施の形態のブロック図である。
【符号の説明】
【００４２】
１１０、１５０  ディジタル信号送信装置
１１１  入力部
１１２  伝送路符号化部
１１３  ６４ＱＡＭ変調部
１１４  周波数変換部
１１５  ＰＡ
１２０、１６０  ディジタル信号受信装置
１２１  ＬＮＡ
１２２  周波数変換部
１２３  ６４ＱＡＭ復調部
１２４  伝送路復号部
１２５  出力部
２１１  入力部
１５１  Ｅ／Ｏ部
１６１  Ｏ／Ｅ部
２０１  メモリ
２０２  パケット番号デコーダ
２０３  書込アドレス発生器
２０４  ２７Ｍ生成部
２０５  読出アドレス発生器
２０６  ３２Ｍ生成部
２０７  ４７付替回路
【図１】
2006121450.tif 000003
【図２】
2006121450.tif 000004
【図３】
2006121450.tif 000005